(57)【要約】【課題】採取した証拠物とそれに関するデータとの関連性を確実に保証できる証拠物採取用シートを提供することを目的とする。【解決手段】本発明の証拠物採取用シート１は、証拠物を採取するための粘着層が裏面に塗布された透明シート２と、透明シート２が表面に貼り付けられる台紙３とを有し、粘着層が透明シート２と台紙３とで挟まれるように、透明シート２が台紙３に貼り付けられているものであって、台紙３及び透明シート２の一部が溶着されて固着状態となった接着部５が形成されている。【選択図】図１
2018050691.tif 000002
【特許請求の範囲】
【請求項１】
証拠物を採取するための粘着層が裏面に塗布された透明シートと、前記透明シートが表面に貼り付けられる台紙とを有し、前記粘着層が透明シートと台紙とで挟まれるように、前記透明シートが台紙に貼り付けられている証拠物採取用シートにおいて、
前記台紙及び透明シートの一部が溶着されて固着状態となった接着部が形成されていることを特徴とする証拠物採取用シート。
【請求項２】
前記台紙と透明シートとは同形の矩形とされ、前記台紙の表面に透明シートがずれることなく重合状態で貼り付けられていて、
前記透明シートが貼り付けられた台紙を形成する四辺のうちの一辺に、前記接着部が形成されている
ことを特徴とする請求項１に記載の証拠物採取用シート。
【請求項３】
前記接着部には、超音波溶着により厚み方向に貫通状のエンボス孔が形成されていることを特徴とする請求項１又は２に記載の証拠物採取用シート。
【請求項４】
前記台紙の裏面には、証拠物採取に関する情報を記すことが可能な情報記録シートが貼り付けられており、
前記接着部は、前記台紙と透明シートと情報記録シートを貫通し一体化するように超音波溶着が行われて形成されている
ことを特徴とする請求項１〜３のいずれかに記載の証拠物採取用シート。
【請求項５】
前記接着部は、前記透明シートと台紙と情報記録シートの３層を、透明シート側から情報記録シート側へ巻き回すように配設された接合シートを有していて、前記接合シートを含んだ５層に対して超音波溶着が行われて形成されていることを特徴とする請求項１〜４のいずれかに記載の証拠物採取用シート。
【発明の詳細な説明】
【技術分野】
【０００１】
本発明は、犯罪捜査において、指紋や遺留微物などの証拠物を採取すると共に、採取した証拠物に対する偽装を確実に防ぐことを可能とする証拠物採取用シートに関する。
【背景技術】
【０００２】
犯罪捜査においては、例えば、指紋が重要な証拠物として採用されている。指紋の採取を行うときには、指紋が付いた面に微粒子状の粉をふりかけ、指紋の稜線に沿って残る粉を指紋採取用シート（証拠物採取用シート）の粘着層に転写している。また、容疑者の指を、指紋採取用シートの粘着層に直接押しつけることで、指紋を採取することもある。
ところで、指紋を証拠として用いる場合、「いつ」、「どこで」、「誰が採取したのか」といった指紋採取に関する情報が、採取した指紋と１対１で関連付けられていることが必要である。また、採取後に指紋自体をすり替えられたり、上述の指紋採取に関する情報が改ざんされたりすることがないようにすることも必要である。
【０００３】
指紋採取のためのシートに関する技術としては、特許文献１，２に関するものが挙げられる。
特許文献１は、ベースフィルム層と、該ベースフィルム層の片面に設けられた粘着剤層とを備え、前記ベースフィルム層が、引張弾性率４〜５０ＭＰａ、伸長回復率９０％以上を示す鑑識用シートを開示する。
【０００４】
特許文献２は、透明基材層と指紋を採取する指紋採取層と採取シート台紙とを有する指紋採取シートに対して貼り付けて使用される指紋封止シールであって、表面に情報の表示が可能な情報表示領域を有するシール本体と、前記シール本体の裏面側に直接又は間接的に積層して設けられた粘着性を有する粘着層と、前記粘着層に対して仮着された封止シール台紙と、前記シール本体における前記情報表示領域の外周及び／又は前記情報表示領域内に設けられた貼り替え防止用切り込みと、前記指紋採取シートに対して貼り付けるときに折り曲げる予定となる位置に設けられた折り曲げ予定位置表示部と、を備える指紋封止シールを開示する。
【先行技術文献】
【特許文献】
【０００５】
【特許文献１】特開２００６−８７８４号公報
【特許文献２】特開２０１１−１８８９０２号公報
【発明の概要】
【発明が解決しようとする課題】
【０００６】
しかし、特許文献１のような鑑識用シート（証拠物採取用シート、言い換えれば、指紋採取用シート）では、指紋が採取されたシートと台紙とは簡単に分離できることから、指紋自体を容易にすり替えることができるという大きな問題があった。
この問題を解決することを意図しているのが、特許文献２に開示された技術である。
特許文献２の技術は、指紋を採取するシート（指紋採取層）と台紙（採取シート台紙）とを封止シールにより綴じることで、指紋が採取されたシートと台紙とを１対１で関連付けるようにしているものである。
【０００７】
しかしながら、特許文献２の技術であっても、封止シールをゆっくり且つ丁寧に剥がすことで、シート乃至は台紙から封止シールを外すことが可能であることは否めない。もし、シート乃至は台紙から封止シールを外すことができた場合、採取した指紋とそれに関するデータとの関連性（１対１で関連性）を担保することができなくなる。このような場合、裁判で不利な状況になることも否めない。
【０００８】
そこで、本発明は、採取した指紋などの証拠物とそれに関するデータとの関連性（１対１の関連性）を確実に保証できる証拠物採取用シートを提供することを目的とする。
【課題を解決するための手段】
【０００９】
前記目的を達成するため、本発明においては以下の技術的手段を講じた。
本発明の証拠物採取用シートは、証拠物を採取するための粘着層が裏面に塗布された透明シートと、前記透明シートが表面に貼り付けられる台紙とを有し、前記粘着層が透明シートと台紙とで挟まれるように、前記透明シートが台紙に貼り付けられている証拠物採取用シートにおいて、前記台紙及び透明シートの一部が溶着されて固着状態となった接着部が形成されていることを特徴とする。
【００１０】
好ましくは、前記台紙と透明シートとは同形の矩形とされ、前記台紙の表面に透明シートがずれることなく重合状態で貼り付けられていて、前記透明シートが貼り付けられた台紙を形成する四辺のうちの一辺に、前記接着部が形成されているとよい。
好ましくは、前記接着部には、超音波溶着により厚み方向に貫通状のエンボス孔が形成されているとよい。
【００１１】
好ましくは、前記台紙の裏面には、証拠物採取に関する情報を記すことが可能な情報記録シートが貼り付けられており、前記接着部は、前記台紙と透明シートと情報記録シートを貫通し一体化するように超音波溶着が行われて形成されているとよい。
好ましくは、前記接着部は、前記透明シートと台紙と情報記録シートの３層を、透明シート側から情報記録シート側へ巻き回すように配設された接合シートを有していて、前記接合シートを含んだ５層に対して超音波溶着が行われて形成されているとよい。
【発明の効果】
【００１２】
本発明の証拠物採取用シートによれば、採取した指紋などの証拠物とそれに関するデータとの関連性（１対１の関連性）を確実に保証できるようになる。
【図面の簡単な説明】
【００１３】
【図１】（ａ）は本実施形態にかかる指紋採取用シート（証拠物採取用シート）を表面側より見た斜視図であり、（ｂ）は本実施形態にかかる指紋採取用シートを裏面側より見た斜視図である。
【図２】接合部の断面を模式的に示した図である。
【図３】接合部の断面を模式的に示した図である（変形例）。
【図４】元シート（分離前の指紋採取用シート）を表面側より見た斜視図である。
【図５】元シート（分離前の指紋採取用シート）を裏面側より見た斜視図である。
【図６】本実施形態にかかる指紋採取用シートを用いて、指紋を採取する手順の一例を示した図である。
【発明を実施するための形態】
【００１４】
以下、本発明の証拠物採取用シートを図面に基づき説明する。本実施形態では、証拠物採取用シートが採取する証拠物として、指紋を例としてあげている。そのため、証拠物採取用シートを指紋採取用シートとして説明を進める。なお、証拠物としては、犯行現場に残された微物（例えば、体毛、衣類くず、ガラス片）なども挙げられる。
図１に示すように、本発明の指紋採取用シート１は、例えば、縦が約５ｃｍで横が約４ｃｍ程度の広さを有する矩形とされた「指紋を採取するための道具」である。本実施形態の指紋採取用シート１は、３層構造とされており、図１（ａ）に示す如く、上側から透明シート２、表面が暗色とされた台紙３、この台紙３の下側に貼り付けられた情報記録シート４とからなる。
【００１５】
なお、以降説明では、図１（ａ）の状態において、指紋採取用シート１の上側の面を表面、指紋採取用シート１の下側の面を裏面と呼ぶこともある。
指紋採取用シート１を構成する透明シート２は、ＰＥＴなどのプラスチックで形成された透明性を有するシートであり、その裏面すなわち台紙３に対面する側には、粘着性を有する粘着層が塗布されている。この粘着層は指紋等を採取、保持、記録するに最適な粘度等を有するものであり、例えば、ゼラチンを主成分としたゲル状の膜から構成されている。
【００１６】
台紙３は、その表面（透明シート２に面する側）には、黒色乃至は暗色のコーティングが成されており、このコーティングは、粘着層に含有される水分が台紙３へ浸潤しないように、防水性を有するものとなっている。台紙３の材質としては、紙に限定されず、プラスチックなどの他のものであってもよい。
台紙３の裏面には、採取した指紋に関する情報を書き込み可能なように、情報記録シート４が貼り付けられている。この情報記録シート４は、一般的な白色紙からなり、台紙３シートの裏面に貼り付けられるものとなっている。情報記録シート４には、事件日、指紋採取日、指紋採取場所、採取部位、採取者、立会人などが書き込み可能とされている。
【００１７】
詳しくは、「発明が解決しようとする課題」で説明しているが、指紋採取用シート１においては、透明シート２（指紋が採取されるシート）と台紙３とが完全に分離できた場合、透明シート２（言い換えれば指紋）をすり替えることが容易にできるという大きな問題があった。すり替え可能性を有する指紋採取用シート１は、裁判などで不利になることもある。
【００１８】
そこで、本発明では、台紙３シートから透明シート２を容易に剥がすことができず、仮に剥がしたとしても復元が不可能とされた接着部５を有している。この接着部５は、台紙３の端部と透明シート２の端部とを強力に接着し、両者の分離を防ぐものとなっている。なお、接着部５は、台紙３及び透明シート２の端部のみを接着するものであるため、他の部分は、容易に分離でき、指紋の採取の妨げにはならない。
【００１９】
上記した接着部５の詳細について述べる。
図２は、接着部５の拡大図であって、側面図を示したものである。図１，図２，図４などから明らかなように、指紋採取用シート１の一方端部（短辺側の一方）は接着部５とされている。
前述した如く、指紋採取用シート１は、台紙３の表面（黒色乃至は暗色とされた側）に透明シート２が貼り付けられている（図１（ａ）参照）。台紙３の裏面側には情報記録シート４が貼り付けられている（図１（ｂ）参照）。
【００２０】
このような指紋採取用シート１の一方端部（短辺側の一方）において、表面から裏面を囲うように接着のためのシート（接着シート６）が巻き回されている。この接着シート６はＰＥＴなどのプラスチックで形成されている。
図２に示す如く、指紋採取用シート１の一方端部を接着シート６で巻き回すことで、上面側から、接着シート６、透明シート２、台紙３、情報記録シート４、接着シート６の５層構造となる。この５層構造となった端部に対して、超音波溶着を行い、溶着のための熱を５層部の上面から下面まで付与し、５層が一体となるように接着する。このとき、エンボス加工を施し、接着シート６、透明シート２、台紙３、情報記録シート４、接着シート６を全てエンボス加工による孔（エンボス孔７）が貫通するようにするとよい。なお、溶着は超音波溶着に限定されず、熱を用いた溶着であれば何でもよい。
【００２１】
このようにすることで、台紙３と透明シート２とが強固に固着され、台紙３から透明シート２を剥がし分離させることが不可能となる。無理に力を加え、台紙３から透明シート２を剥がした場合、接着部５が破壊され不可逆的に剥がれることとなり、台紙３に対して、透明シート２をすり替えようとしたことが明白となる。すなわち、接着部５の存在により、透明シート２と台紙３との紐付け（１対１の関連性）が確実に担保されることとなる。
【００２２】
同様のことは、台紙３から情報記録シート４との間にも言える。台紙３から情報記録シート４を剥がし分離させようとして、無理に力を加えた場合、接着部５が不可逆的に剥がれ壊れることとなり、台紙３に対して、情報記録シート４をすり替えようとしたことが明白となる。すなわち、接着部５の存在により、情報記録シート４と台紙３との紐付け（１対１の関連性）が確実に担保されることとなる。
【００２３】
このように、本願発明の接着部５によれば、採取した指紋と台紙３との関連性が担保でき、同時に、台紙３と情報記録シート４との関連性も担保できる。それ故、接着部５が破損してないことを確認できれば、採取した指紋と情報記録シート４（そこに書かれた記録）との関連性（紐付け）が確実に保証できるものとなる。
ところで、接着部５の構成は、上記に限定されるものではない。
【００２４】
例えば、図３に示すように、透明シート２を端部より外側に延設させておき、延設部を下方側に回し込むようにして、情報記録シート４の端部に達するように巻き回すこととする。その上で、超音波溶着を行い、透明シート２、台紙３、情報記録シート４、透明シート２の延設部（接着シート６）を貫通するように熱を加え、エンボス加工による孔が貫通するようにするとよい。このように、透明シート２を長めにして端部からはみ出るようにし、はみ出た部分を巻き回すことで、接着部５を４層で構成することが可能となる。
【００２５】
以上述べた、指紋採取用シート１の使用態様について述べる。
上記した指紋採取用シート１は、一つずつ作成してもよいが、本実施形態の場合、複数個まとめた形で一つのシートとして作成する。
図４は、その例である。この図に示すように、指紋採取用シート１の６個分に対応する台紙３を用意し、その表面に透明シート２を貼り付けるようにする。当然ながら、透明シート２の裏面（台紙３側）には、指紋採取のための粘着層が塗布されている。
【００２６】
図３に示すように、台紙３の裏面には、指紋採取用シート１の６個分の情報が印刷された情報記録シート４が貼り付けられている。
このように、透明シート２、台紙３、情報記録シート４が張り合わされて、３層構造となったものに対して、その左右の端部を接着部５とする、すなわち、前後に長尺且つ短冊状とされた接着シート６を、左右の端部それぞれで、表面から裏面に関して巻き回し、その上で、超音波溶着を行う。その結果として、左右が接着部５とされた指紋採取用シート１の元となる元シート８が作成される。
【００２７】
その後、図４の一点鎖線で示されるように、左右方向及び前後方向にハサミでカットし、６個の指紋採取用シート１を作成する。使用者にはカット後の指紋採取用シート１を提供するようにしてもよいし、カット前の元シート８を提供するようにしてもよい。
元シート８をカットして得られた指紋採取用シート１は、図１に示すようなものであり、長方形状の四辺のうち、一辺のみが接着部５（溶着部）となっていて、他の３辺は、非溶着部である。非溶着部にいては、台紙３から接着シート６を剥がすことが可能である。
【００２８】
図６に示すように、カット後に得られた指紋採取用シート１を用いて、指紋を採取する際は、例えば、図６（ａ）のように、非溶着部においては、台紙３から接着シート６を剥がし、透明シート２の裏側（粘着層が存在する部分）に、例えば、容疑者の指Ｆの腹を押しつけ、指紋を採取する。その後、図６（ｂ）のように、透明シート２を確実に台紙３上に貼り付けるようにする。
【００２９】
本発明の指紋採取用シート１は、接着部５が存在するため、透明シート２を剥がし、他の透明シート２と差し替える、すなわち、指紋をすり替えるなどの改ざんを行うことができない。敢えて行った場合、接着部５が破損することとなり、改ざんが明らかなものとなる。このことは、情報記録シート４に関しても同じである。
すなわち、本発明の指紋採取用シート１における接着部５によれば、採取した指紋と台紙３との関連性（１対１で関連性）が担保でき、同時に、台紙３と情報記録シート４との関連性（１対１で関連性）も担保できる。それ故、接着部５が破損してないことを確認できれば、透明シート２（採取した指紋）と情報記録シート４（採取時の記録）との関連性が確実に保証できるものとなる。
【００３０】
なお、今回開示された各実施形態は、すべての点で例示であって制限的なものではないと考えられるべきである。特に、今回開示された各実施形態において、明示的に開示されていない事項、例えば、構成物の寸法、重量、体積などは、当業者が通常実施する範囲を逸脱するものではなく、通常の当業者であれば、容易に想定することが可能な値を採用している。
【符号の説明】
【００３１】
１    指紋採取用シート（証拠物採取用シート）
２    透明シート
３    台紙
４    情報記録シート
５    接着部
６    接着シート
７    エンボス孔
８    元シート
Ｆ    指
【図１】
2018050691.tif 000003
【図２】
2018050691.tif 000004
【図３】
2018050691.tif 000005
【図４】
2018050691.tif 000006
【図５】
2018050691.tif 000007
【図６】
2018050691.tif 000008